(57)【要約】【課題】非接触温度センサの検出エリアにより、表示画面のチルト角度を推定し、在席閾値と離席閾値とを最適化できる情報処理装置を提供する。【解決手段】情報処理結果を表示する表示画面２と、表示画面２の情報処理結果が表示される側に存在する複数のエリアごとに、エリアに存在する物体の平均温度を非接触で測定する温度センサ３と、表示画面２の情報処理結果が表示される側に存在する物体までの距離を測定する測距センサ４と、測距センサ４により測定される距離と予め定められた閾値とを比較することにより動作モードを制御する制御手段と、を有するＰＣ１であって、温度センサ３の複数のエリアのうち測定された平均温度が最高である最高温度エリアの位置に基づいて閾値を設定する。【選択図】図３
2014190747.tif 000002
【特許請求の範囲】
【請求項１】
情報処理結果を表示する表示画面と、
該表示画面の前記情報処理結果が表示される側に存在する複数のエリアごとに、該エリアに存在する物体の平均温度を非接触で測定する温度センサと、
該表示画面の前記情報処理結果が表示される側に存在する物体までの距離を測定する測距センサと、
前記測距センサにより測定される距離と予め定められた閾値とを比較することにより動作モードを制御する制御手段と、を有する情報処理装置であって、
前記温度センサの前記複数のエリアのうち測定された平均温度が最高である最高温度エリアの位置に基づいて前記閾値を設定することを特徴とする情報処理装置。
【請求項２】
前記最高温度エリアが前記複数のエリアの上側である場合に、前記閾値を大きく設定することを特徴とする、請求項１記載の情報処理装置。
【請求項３】
前記最高温度エリアの位置に基づいて前記表示画面のチルト角度を推定し、前記チルト角度に応じて前記閾値を設定することを特徴とする、請求項１または２記載の情報処理装置。
【請求項４】
前記温度センサと前記測距センサとは、前記表示画面の下部に設置されていることを特徴とする、請求項１ないし３のいずれか１項に記載の情報処理装置。
【請求項５】
動作制限を設けない通常モードと、一部の動作が制限されて前記通常モードよりも消費電力の小さい省電力モードとで動作可能であり、
ユーザの人体と判断される物体が所定時間以上検出されないと、前記通常モードから前記省電力モードに移行することを特徴とする請求項１ないし４のいずれか１項に記載の情報処理装置。
【請求項６】
前記省電力モードで動作中に、前記ユーザの人体と判断される物体が検出されると前記通常モードに移行する請求項５記載の情報処理装置。
【発明の詳細な説明】
【技術分野】
【０００１】
本発明は、熱源を非接触で認識することができるセンサを有する情報処理装置に関する。
【背景技術】
【０００２】
従来から、パーソナルコンピュータ（ＰＣ）に測距センサを搭載し、ユーザの在席または離席を判断する技術が知られている。測距センサは、発信部（赤外線ＬＥＤ）と受信部（センサ）とを有し、発信部から発信された後に物体に当たって反射された赤外線を受信部で受信することにより、ユーザなどの物体の存在を検出する。
【０００３】
しかしながら、ＰＣの表示画面のチルト角度によって、測距センサが検出する反射データが異なる。表示画面のチルト角度が０°のとき、反射光がキーボードなどに干渉し、反射データが高い。表示画面のチルト角度が１５°で画面が上方向を向いているとき、反射光がキーボードに干渉せず、反射データが小さい。
【０００４】
特許文献１には、マニュアルキャリブレーション設定により、ユーザが不在時の干渉データを測定し、ユーザでない物体の干渉分を感知レベルと見なし、それを基準にユーザの在席または離席を判定する技術が開示されている。
【先行技術文献】
【特許文献】
【０００５】
【特許文献１】特開２０１２−２３８０９３号公報
【発明の概要】
【発明が解決しようとする課題】
【０００６】
しかし、特許文献１に開示されている技術では、ユーザが不在時の干渉データを測定するマニュアルキャリブレーションを設定する必要があり、操作が煩雑であるという問題があった。
【０００７】
本発明は、前記課題を解決するためのものであり、その目的とするところは、非接触温度センサの検出エリアにより、表示画面のチルト角度を推定し、在席閾値と離席閾値とを最適化できる情報処理装置を提供することにある。
【課題を解決するための手段】
【０００８】
かかる目的を達成するために、本発明は、以下の特徴を有する。
【０００９】
本発明に係る情報処理装置は、情報処理結果を表示する表示画面と、該表示画面の前記情報処理結果が表示される側に存在する複数のエリアごとに、該エリアに存在する物体の平均温度を非接触で測定する温度センサと、該表示画面の前記情報処理結果が表示される側に存在する物体までの距離を測定する測距センサと、前記測距センサにより測定される距離と予め定められた閾値とを比較することにより動作モードを制御する制御手段と、を有する情報処理装置であって、前記温度センサの前記複数のエリアのうち測定された平均温度が最高である最高温度エリアの位置に基づいて前記閾値を設定することを特徴とする。
【発明の効果】
【００１０】
本発明によれば、非接触温度センサの検出エリアにより、表示画面のチルト角度を推定し、在席閾値と離席閾値とを最適化できる。
【図面の簡単な説明】
【００１１】
【図１】本実施形態に係るＰＣの外観を示す正面図である。
【図２】本実施形態に係る温度センサを示す斜視図である。
【図３】本実施形態の機能構成を示すブロック図である。
【図４】閾値管理テーブルに格納される情報の一例を示す図である。
【図５】チルト角度管理テーブルに格納される情報の一例を示す図である。
【図６】本実施形態に係る温度センサの検出エリアを示す図である。
【発明を実施するための形態】
【００１２】
以下、本実施形態について図面により詳細に説明する。
【００１３】
図１は、本実施形態に係るＰＣ１の外観を示す正面図である。本実施形態のＰＣ１は、ディスプレイ部と本体部とが一体になったデスクトップ型のＰＣである。ＰＣ１による情報処理結果を画面に表示する表示画面２の下部における電源ボタン等の配置領域に、ユーザの存在を検出するための温度センサ３と測距センサ４が設けられている。表示画面２は台７に支持され、上下左右方向に回転可能である。
【００１４】
なお、本実施形態ではデスクトップ型のＰＣとしたが、ノート型のＰＣ等であっても良い。また、温度センサ３と測距センサ４は、表示画面２の上部に設置しても良い。
【００１５】
温度センサ３と測距センサ４とをＰＣ１の表示画面上側に搭載するために、ＰＣ１の表示画面上側の幅を広くする必要があり、狭い額縁が実現できず、実装回路を多くする必要がある。また、温度センサ３をＰＣの表示画面上側に搭載した場合、天井の照明や電気スタンドの蛍光灯などの温度を検知してしまう。
【００１６】
したがって、温度センサ３は、ユーザの顔の温度を検出エリアで測定するので、温度センサ３はＰＣ１の表示画面２の中央に実装すると性能上良い。しかし、測距センサ４を表示画面２の中央に実装する必要があるので、温度センサ３は表示画面２の上部の中央に実装することが困難である。そのため、本実施形態では、表示画面２の下部の中央から離れた場所に温度センサ３を搭載する。例えば、表示画面２を上方向に１５°、左右方向の反時計回りに４°傾け、反応範囲を絞って検出することができる。
【００１７】
図２は、本実施形態に係る温度センサ３を示す斜視図である。温度センサ３は電子基板１１に温度センサ素子１２が取り付けられる。温度センサ素子１２は検出エリア１３に存在する物体の温度を検出し、これによって、人の顔や体などの熱源の温度を測定できる。温度センサ３は、非接触でＰＣ１の表示画面２に対向する対象となる物体の温度を検出する。温度センサ素子１２の検出エリア１３は、４×４のエリアであるｐ１〜ｐ１６から構成されている。
【００１８】
なお、温度センサ素子１２の検出エリア１３は、４×４のエリアに限定されず、他のエリア数であっても良い。
【００１９】
測距センサ４は、赤外線を発光する発光部５と対象物に反射した赤外線を受光する受光部６からなる。測距センサ４は、ＰＣ１の表示画面２に対向するユーザや物体までの距離を測ることができ、ユーザの在席と離席を検知することができる。
なお、測距センサ４は赤外線の発光部と受光部とからなるセンサに限定されず、対象物までの距離を検知できるものであれば、超音波センサ等であっても良い。
【００２０】
図３は、本実施形態の機能構成を示すブロック図である。ＰＣ１は制御部２１を内蔵し、制御部２１は在席状態判定手段２２を備える。また、ＰＣ１は、制御部２１に加えて、温度センサ３と、測距センサ４と、入力手段２３と、を備える。入力手段２３は、ＰＣ１に入力を行うための部分であって、キーボード、マウスやタッチパッド等である。入力手段２３での操作は、入力信号に変換され制御部２１に送信される。
【００２１】
在席状態判定手段２２は、閾値決定部２４と、閾値管理テーブル２５と、閾値記録部２６と、チルト角度推定部２７と、チルト角度管理テーブル２８と、を備え、温度センサ３と測距センサ４とから入力されるセンサの検知レベルに基づいて、ＰＣ１の表示画面２に対向するユーザの在席状態を判定する。
【００２２】
ＰＣ１は、センサの検知レベルが所定の閾値以上であればユーザが在席していると判断し、また別の所定の閾値以下であればユーザが離席していると判断する。前者を「在席閾値」、後者を「離席閾値」と呼ぶ。
【００２３】
在席閾値とは、その値以上であればＰＣ１の前にユーザが存在する（在席）と見なす値である。離席閾値とは、その値未満ではＰＣ１の前にユーザが存在しない（離席）と見なす値である。閾値決定部２４は、このような在席閾値と離席閾値を以下に述べる自動キャリブレーション設定により決定する。
【００２４】
図４は、閾値管理テーブル２５に格納される情報の一例を示す図である。閾値管理テーブル２５は、図に示すような情報が格納されており、自動キャリブレーション設定のときに、閾値決定部２４が参照して、閾値を適宜変更する。自動キャリブレーション設定では、ユーザが在席していると判定されるときの温度センサ３の検知レベルを用いて、チルト角度推定部２７とチルト角度管理テーブル２８とにより、チルト角度を推定する。
【００２５】
そして、制御部２１は閾値管理テーブル２５を参照し、チルト角度推定部２７で推定されたチルト角度に対応する新しい在席閾値と離席閾値とを閾値決定部２４で決定する動作をする。閾値記録部２６には、閾値決定部２４により決定された在席閾値と離席閾値が記録される。
【００２６】
ＰＣ１の表示画面２のチルト角度により、閾値管理テーブル２５の在席閾値と離席閾値とを決定する方法は、ユーザが在席中でＰＣ１を操作している時に、在席閾値と離席閾値とが決定される。
【００２７】
チルト角度が小さければ、キーボードや机などの障害物の反射を受けやすく干渉が生じる。ユーザが不在でも測距センサ４の反応値が大きいので、ある程度の干渉を考慮して、閾値管理テーブル２５の在席閾値と離席閾値を決めている。
【００２８】
例えば、標準では、ＬＣＤチルト角度を１０°程度にし、ＰＣ使用時に測距センサ４がユーザを検出した値は、干渉を考慮すると１０であり、在席閾値は８、離席閾値は５である。
【００２９】
チルト角度が小さい場合、干渉が大きいので、測距センサ４が干渉により検出した値は、仮に６とする。離席閾値が標準の場合、ユーザが離席しても測距センサ４が検出した値は６となり、在席と誤判定する。図４に示すように、チルト角度が小さい場合、在席閾値は９、離席閾値は８と設定することにより、ユーザが離席しても在席と誤判定されない。最高温度エリアが複数のエリアの上側である場合に、閾値を大きく設定する。
【００３０】
また、チルト角度が大きい場合、干渉が小さいので、測距センサ４が干渉により検出した値は、仮に０とする。閾値が標準の場合、離席時に０となり、離席時は正常だが、在席時に少し後ろに傾いたら、５より小さい値になる。ユーザの在席時に誤判定の可能性があるので、チルト角度が大きい場合、在席閾値は２、離席閾値は１と設定する。最高温度エリアが複数のエリアの中央または下側である場合に、閾値を小さく設定する。
【００３１】
したがって、チルト角度推定部２７とチルト角度管理テーブル２８とでチルト角度を推定し、閾値管理テーブル２５からチルト角度に対応する在席閾値と離席閾値とを閾値決定部２４で決定することにより、ユーザの在席と離席の検出精度を高めることができる。
【００３２】
次に、チルト角度の推定方法について説明する。図２に示すように、温度センサ３は、最高温度である人の顔の温度を検出エリア１３で測定し、人の顔の位置を判断する。検出エリア１３における人の顔の位置から、ＰＣ１の表示画面２のチルト角度を推定する。チルト角度の推定は、温度センサ３の検出エリアであるｐ１〜ｐ１６のどれか１つに人の顔が認識された場合に、ＰＣ１の表示画面２がどの程度傾いているかエリアｐ１〜ｐ１６に対応したチルト角度の大きさを推定できる。
【００３３】
なお、人の顔が２または４のエリアにまたがっている場合は、チルト角度の平均の大きさを推定しても良い。
【００３４】
図５は、チルト角度管理テーブル２８に格納される情報の一例を示す図である。温度センサ３の検出エリア１３であるエリアｐ１〜ｐ１６に対応したチルト角度は、ｐ１〜ｐ４では上下方向に小さく、ｐ５〜ｐ１６では上下方向に大きいと２段階で設定している。
なお、チルト角度管理テーブル２８で推定されるチルト角度は、上下方向の大小２段階に限定されず、エリアｐ１〜ｐ１６を上下左右方向に他のパターン数に設定したり、エリアｐ１〜ｐ１６ではなく、他のエリア数のパターンなどに設定しても良い。
【００３５】
図６は、本実施形態に係る温度センサ３の検出エリア３１を示す図である。図６（ａ）は、温度センサ３の検出エリア３１の上側に、ユーザ３２の顔３３がある場合である。表示画面２のチルト角度は上下方向に０°、左右方向の反時計回りに４°である場合、ユーザ３２の顔３３はエリアｐ３で検出されている。チルト角度管理テーブル２８から表示画面２のチルト角度は小さいとチルト角度推定部２７で推定され、閾値決定部２４は閾値管理テーブル２５から干渉が大きいパターンである在席閾値９と離席閾値８とを設定し、閾値記録部２６に記録される。
【００３６】
図６（ｂ）は、温度センサ３の検出エリア３１の中央に、ユーザ３２の顔３３がある場合である。表示画面２のチルト角度は上方向に１５°、左右方向の反時計回りに４°である場合、ユーザ３２の顔３３はエリアｐ７にある。チルト角度管理テーブル２８から表示画面２のチルト角度は大きいとチルト角度推定部２７で推定され、閾値決定部２４は閾値管理テーブル２５から干渉が小さいパターンである在席閾値２と離席閾値１とを設定し、閾値記録部２６に記録される。
【００３７】
ＰＣ１の制御部２１では、測距センサ４により測定された物体までの距離が所定の距離閾値より小さく、かつ、温度センサ３により検知された物体の温度が所定の温度閾値より大きいときに、物体をユーザの人体であると判断する。
【００３８】
ユーザが椅子を離れると温度センサ３と測距センサ４はユーザを認識せず、一定時間が経過するとＰＣ１の画面はオフになり、通常モードから省電力モードになる。測距センサ４が椅子を検知していた場合でも、温度センサ３でユーザと椅子の区別をすることができる。ユーザが椅子に座ると温度センサ３と測距センサ４はユーザを認識し、一定時間が経過するとＰＣの画面はオンになり、省電力モードから標準モードになる。
【００３９】
本実施形態によれば、非接触温度センサの検出エリアにより、表示画面のチルト角度を推定し、在席閾値と離席閾値とを最適化できるので、自動キャリブレーションを実現できる。
【符号の説明】
【００４０】
１    ＰＣ
２    表示画面
３    温度センサ
４    測距センサ
１１    電子基板
１２    温度センサ素子
１３    検出エリア
２１    制御部
２２    在席状態判定手段
２４    閾値決定部
２５    閾値管理テーブル
２７    チルト角度推定部
２８    チルト角度管理テーブル
３１    検出エリア
３２    ユーザ
３３    顔
【図１】
2014190747.tif 000003
【図２】
2014190747.tif 000004
【図３】
2014190747.tif 000005
【図４】
2014190747.tif 000006
【図５】
2014190747.tif 000007
【図６】
2014190747.tif 000008